(57)【要約】【課題】本願発明は生ゴミによる汚染を防止する装置を開示した。        【解決手段】本願発明の実施例の生ゴミによる汚染を防止する装置は、ボディを含み、前記ボディの中にはシンクが設置され、前記シンクの底側壁には貯水空間が設置され、前記シンクの右側壁には圧縮空間が設置され、前記圧縮空間の底側には動力空間が設置され、前記圧縮空間の底側壁には収集空間が設置され、前記収集空間の左側壁には回転空間が設置され、前記収集空間の左右側壁には対称的な動き空間が設置され、ゴミを全部圧縮空間の中に運送し、それにこの過程が全部本願発明の中で行われるもので、家の中の空気に汚染をもたらすことがなく、毎日生ゴミを捨てる必要がなくなると同時に生ゴミの再利用の続きの操作にも便利である。【選択図】図１
2020203789.tif 000002
【特許請求の範囲】
【請求項１】
ボディを含み、前記ボディの中にはシンクが設置され、前記シンクの底側壁には貯水空間が設置され、前記シンクの右側壁には圧縮空間が設置され、前記圧縮空間の底側には動力空間が設置され、前記圧縮空間の底側壁には収集空間が設置され、前記収集空間の左側壁には回転空間が設置され、前記収集空間の左側には伝動空間が設置され、前記収集空間の左右側壁には対称的な動き空間が設置され、前記動力空間と前記圧縮空間との間には圧縮装置が設置され、
前記圧縮装置は前記動力空間の底側壁に固定的に取り付けられたモーターを含み、前記モーターの中には第一伝動軸が連結され、前記第一伝動軸が上方に延びて前記動力空間の頂側壁を貫通して前記圧縮空間の中に入り、且つ前記動力空間の頂側壁と前記圧縮空間の上下側壁とが回転できるように連結され、前記第一伝動軸のうち前記動力空間の中に位置するところには第一ベベルギアが固定的に設置され、前記第一伝動軸のうち前記圧縮空間の中に位置するところには移動ブロックがネジ山により連結され、前記移動ブロックの左側面には圧縮板が固定的に設置され、前記回転空間の中には円盤がスライドできるように連結され、前記円盤の中には四つの矩形穴が設置され、前記円盤の底側面には回転軸が回転できるように連結され、前記回転軸が下方に延びて前記回転空間の底側壁を貫通して前記伝動空間の中に入り、且つ前記回転空間の底側壁と前記伝動空間の頂側壁とが回転できるように連結され、前記回転軸のうち前記伝動空間の中に位置するところには歯車が固定的に設置され、
前記シンクの中にはゴミと液体とを分離させる分離装置が設置され、前記伝動空間の中には前記回転空間を回転連動させる回転装置が設置され、前記収集空間と左右両側の前記動き空間との間にはゴミを収集する収集装置が設置されていることを特徴とする生ゴミによる汚染を防止する装置。
【請求項２】
前記分離装置はゴミカゴと、移動ハンドルと、ゴミ分離空間と、メッシュフィルターと、下水道口とにより構成され、前記シンクの中には前記ゴミカゴがスライドできるように連結され、前記ゴミカゴの頂側面には前記移動ハンドルが固定的に設置され、前記ゴミカゴの中には前記ゴミ分離空間が設置され、前記ゴミ分離空間の底側面には前記メッシュフィルターが設置され、前記メッシュフィルターの前後左右側面が前記ボディと固定的に連結され、水分が前記メッシュフィルターにより前記貯水空間に流れ込むことができ、前記貯水空間の底側壁には下水道を連通した下水道口が設置されていることを特徴とする請求項１に記載の生ゴミによる汚染を防止する装置。
【請求項３】
前記回転装置は第二伝動軸と、第二ベベルギアと、ラチェットギアと、第三伝動軸と、第四ベベルギアと、第五ベベルギアとにより構成され、前記伝動空間の上下側壁には前記第二伝動軸が回転できるように連結され、前記第二伝動軸の中側には前記第二ベベルギアが固定的に設置され、前記第二伝動軸の上側には前記歯車と噛み合った前記ラチェットギアが固定的に設置され、前記伝動空間の右側壁には前記第三伝動軸が回転できるように連結され、前記第三伝動軸が右方に延びて前記伝動空間の右側壁を貫通して前記収集空間の中に入り、且つ前記収集空間の左右側壁と回転できるように連結され、前記第三伝動軸が右方に延びて前記収集空間の右側壁を貫通して前記動力空間の中に入り、且つ前記動力空間の左側壁と回転できるように連結され、前記第三伝動軸において前記伝動空間の中には前記第二ベベルギアと噛み合った前記第四ベベルギアが固定的に設置され、前記第三伝動軸において前記動力空間の中には前記第一ベベルギアと噛み合った第五ベベルギアが固定的に設置されていることを特徴とする請求項１に記載の生ゴミによる汚染を防止する装置。
【請求項４】
前記収集装置は第一収容空間と、第一阻み板と、第一バネと、長棒と、リセット空間と、リセット棒と、第二バネと、フックとゴミ引出ドアとハンドルとに構成され、各側の前記動き空間の頂側壁には前記第一収容空間が左右対称に設置され、各側の第一収容空間の中には前記第一阻み板がスライドできるように連結され、各前記第一阻み板と前記第一収容空間との間には前記第一バネが連結され、各前記第一阻み板の底側面には前記長棒が当接され、各前記長棒の片側が各側の前記動き空間の後側壁とヒンジにより連結され、各側の前記動き空間の底側壁には左右対称の前記リセット空間が設置され、各側の前記リセット空間の中にはスライドできるように連結された前記リセット棒が固定的に設置され、各前記リセット棒と各側の前記リセット空間との間には前記第二バネが連結され、各前記第一阻み板はゴミが前記動き空間の中に入ることを阻むことができ、各前記リセット棒は前記長棒をリセットすることができ、各前記長棒の片側にはゴミ袋の両端を掛ける前記フックが固定的に設置され、前記ボディの前側面には前記ゴミ引出ドアが回転できるように連結され、前記ゴミ引出ドアには前記ハンドルが固定的に設置されていることを特徴とする請求項１に記載の生ゴミによる汚染を防止する装置。
【請求項５】
前記圧縮空間の底側壁には第二収容空間が設置され、前記第二収容空間にはゴミ阻み板がスライドできるように連結され、前記ゴミ阻み板と前記第二収容空間との間には第二バネが連結されていることを特徴とする請求項１に記載の生ゴミによる汚染を防止する装置。
【請求項６】
前記ラチェットギアの中には六つの反転空間が設置され、各側の前記反転空間の中には前記歯車と当接された引っ掛かりブロックがスライドできるように連結され、各前記引っ掛かりブロックと前記反転空間との間には第三バネが連結されていることを特徴とする請求項１に記載の生ゴミによる汚染を防止する装置。
【請求項７】
前記ゴミカゴの左右側壁はいずれも防水材質であることを特徴とする請求項２に記載の生ゴミによる汚染を防止する装置。
【請求項８】
前記貯水空間の形は台形であることを特徴とする請求項２に記載の生ゴミによる汚染を防止する装置。
【発明の詳細な説明】
【技術分野】
【０００１】
本願発明はゴミ処理分野に関し、具体的には生ゴミによる汚染を防止する装置である。
【背景技術】
【０００２】
生ゴミはどの家庭でも毎日生み出すゴミであり、それに夏の温度の高い時に異臭を放ち、しかし毎日生み出された生ゴミの数が多くなく、毎日生ゴミを捨てると間違いなく面倒くさいことであり、しかし捨てないと生ゴミの生み出した異臭があまりにも臭いため、一部の人が生ゴミを下水道から流すことを選ぶ。
家々の生ゴミを下水道に流す数は多くないが、一つの町ではほんの一部の生ゴミが下水道に集まったら、下水道を塞ぐことになる可能性が大きく、同時に生ゴミがほとんど有機物であるため、集めると、実際にはとても大きな利用可能性がある。
【先行技術文献】
【特許文献】
【０００３】
【特許文献１】中国特許出願公開第１０９５６９８４３号明細書
【発明の概要】
【発明が解決しようとする課題】
【０００４】
本願発明は生ゴミによる汚染を防止する装置を提供し、従来技術における上記欠点を解消することを目的とする。
【課題を解決するための手段】
【０００５】
本願発明は以下の技術プランを通じて実現する：本願発明の実施例の生ゴミによる汚染を防止する装置は、ボディを含み、前記ボディの中にはシンクが設置され、前記シンクの底側壁には貯水空間が設置され、前記シンクの右側壁には圧縮空間が設置され、前記圧縮空間の底側には動力空間が設置され、前記圧縮空間の底側壁には収集空間が設置され、前記収集空間の左側壁には回転空間が設置され、前記収集空間の左側には伝動空間が設置され、前記収集空間の左右側壁には対称的な動き空間が設置され、前記動力空間と前記圧縮空間との間には圧縮装置が設置され、
前記圧縮装置は前記動力空間の底側壁に固定的に取り付けられたモーターを含み、前記モーターの中には第一伝動軸が連結され、前記第一伝動軸が上方に延びて前記動力空間の頂側壁を貫通して前記圧縮空間の中に入り、且つ前記動力空間の頂側壁と前記圧縮空間の上下側壁とが回転できるように連結され、前記第一伝動軸のうち前記動力空間の中に位置するところには第一ベベルギアが固定的に設置され、前記第一伝動軸のうち前記圧縮空間の中に位置するところには移動ブロックがネジ山により連結され、前記移動ブロックの左側面には圧縮板が固定的に設置され、前記回転空間の中には円盤がスライドできるように連結され、前記円盤の中には四つの矩形穴が設置され、前記円盤の底側面には回転軸が回転できるように連結され、前記回転軸が下方に延びて前記回転空間の底側壁を貫通して前記伝動空間の中に入り、且つ前記回転空間の底側壁と前記伝動空間の頂側壁とが回転できるように連結され、前記回転軸のうち前記伝動空間の中に位置するところには歯車が固定的に設置され、
前記シンクの中にはゴミと液体とを分離させる分離装置が設置され、前記伝動空間の中には前記回転空間を回転連動させる回転装置が設置され、前記収集空間と左右両側の前記動き空間との間にはゴミを収集する収集装置が設置されている。
【０００６】
上記技術プランに基づいて、前記分離装置はゴミカゴと、移動ハンドルと、ゴミ分離空間と、メッシュフィルターと、下水道口とにより構成され、前記シンクの中には前記ゴミカゴがスライドできるように連結され、前記ゴミカゴの頂側面には前記移動ハンドルが固定的に設置され、前記ゴミカゴの中には前記ゴミ分離空間が設置され、前記ゴミ分離空間の底側面には前記メッシュフィルターが設置され、前記メッシュフィルターの前後左右側面が前記ボディと固定的に連結され、水分が前記メッシュフィルターにより前記貯水空間に流れ込むことができ、前記貯水空間の底側壁には下水道を連通した下水道口が設置されている。
【０００７】
上記技術プランに基づいて、前記回転装置は第二伝動軸と、第二ベベルギアと、ラチェットギアと、第三伝動軸と、第四ベベルギアと、第五ベベルギアとにより構成され、前記伝動空間の上下側壁には前記第二伝動軸が回転できるように連結され、前記第二伝動軸の中側には前記第二ベベルギアが固定的に設置され、前記第二伝動軸の上側には前記歯車と噛み合った前記ラチェットギアが固定的に設置され、前記伝動空間の右側壁には前記第三伝動軸が回転できるように連結され、前記第三伝動軸が右方に延びて前記伝動空間の右側壁を貫通して前記収集空間の中に入り、且つ前記収集空間の左右側壁と回転できるように連結され、前記第三伝動軸が右方に延びて前記収集空間の右側壁を貫通して前記動力空間の中に入り、且つ前記動力空間の左側壁と回転できるように連結され、前記第三伝動軸において前記伝動空間の中には前記第二ベベルギアと噛み合った前記第四ベベルギアが固定的に設置され、前記第三伝動軸において前記動力空間の中には前記第一ベベルギアと噛み合った第五ベベルギアが固定的に設置されている。
【０００８】
上記技術プランに基づいて、前記収集装置は第一収容空間と、第一阻み板と、第一バネと、長棒と、リセット空間と、リセット棒と、第二バネと、フックとゴミ引出ドアとハンドルとに構成され、各側の前記動き空間の頂側壁には前記第一収容空間が左右対称に設置され、各側の第一収容空間の中には前記第一阻み板がスライドできるように連結され、各前記第一阻み板と前記第一収容空間との間には前記第一バネが連結され、各前記第一阻み板の底側面には前記長棒が当接され、各前記長棒の片側が各側の前記動き空間の後側壁とヒンジにより連結され、各側の前記動き空間の底側壁には左右対称の前記リセット空間が設置され、各側の前記リセット空間の中にはスライドできるように連結された前記リセット棒が固定的に設置され、各前記リセット棒と各側の前記リセット空間との間には前記第二バネが連結され、各前記第一阻み板はゴミが前記動き空間の中に入ることを阻むことができ、各前記リセット棒は前記長棒をリセットすることができ、各前記長棒の片側にはゴミ袋の両端を掛ける前記フックが固定的に設置され、前記ボディの前側面には前記ゴミ引出ドアが回転できるように連結され、前記ゴミ引出ドアには前記ハンドルが固定的に設置されている。
【０００９】
上記技術プランに基づいて、前記圧縮空間の底側壁には第二収容空間が設置され、前記第二収容空間にはゴミ阻み板がスライドできるように連結され、前記ゴミ阻み板と前記第二収容空間との間には第二バネが連結されている。
【００１０】
上記技術プランに基づいて、前記ラチェットギアの中には六つの反転空間が設置され、各側の前記反転空間の中には前記歯車と当接された引っ掛かりブロックがスライドできるように連結され、各前記引っ掛かりブロックと前記反転空間との間には第三バネが連結されている。
【００１１】
上記技術プランに基づいて、前記ゴミカゴの左右側壁はいずれも防水材質である。
【００１２】
上記技術プランに基づいて、前記貯水空間の形は台形である。
【発明の効果】
【００１３】
本願発明の有益効果は：本願発明の装置はシンクと連通され、シンクの中には生ゴミを収納できる部品が設置されることで、使用者が生ゴミを接触する必要がなくなり、直接に生ゴミを収納できる部品により生ゴミを圧縮装置の中に押し、毎日生み出された生ゴミに圧縮を行い、ゴミの収集とゴミの再利用とに便利である。
同時に本願発明はゴミ自体の重力によりゴミをゴミ袋の中に収納し、使用者が異臭の生ゴミと接触する必要がなくなり、直接にゴミ袋を取り替える過程により異臭の生ゴミを捨て、それにこの過程が全部本願発明の中で行われるもので、家の中の空気に汚染をもたらすことがなく、毎日生ゴミを捨てる必要がなくなると同時に生ゴミの再利用の続きの操作にも便利である。
【図面の簡単な説明】
【００１４】
下記に図１〜７をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１５】
【図１】図１は本願発明の生ゴミによる汚染を防止する装置の内部の全体構成模式図
【図２】図２は図１のＡ―Ａ方向の断面図
【図３】図３は図１のＢの拡大図
【図４】図４は図１のＣの拡大図
【図５】図５は本願発明の正視図
【図６】図６は図３のＤ―Ｄ方向の断面図
【図７】図７は図１のＥの拡大図
【発明を実施するための形態】
【００１６】
本願発明の実施例の生ゴミによる汚染を防止する装置は、ボディ２０を含み、前記ボディ２０の中にはシンク２６が設置され、前記シンク２６の底側壁には貯水空間２２が設置され、前記シンク２６の右側壁には圧縮空間２８が設置され、前記圧縮空間２８の底側には動力空間６３が設置され、前記圧縮空間２８の底側壁には収集空間３５が設置され、前記収集空間３５の左側壁には回転空間４１が設置され、前記収集空間３５の左側には伝動空間３７が設置され、前記収集空間３５の左右側壁には対称的な動き空間３６が設置され、前記動力空間６３と前記圧縮空間２８との間には圧縮装置９９が設置され、前記圧縮装置９９は前記動力空間６３の底側壁に固定的に取り付けられたモーター６０を含み、前記モーター６０の中には第一伝動軸３２が連結され、前記第一伝動軸３２が上方に延びて前記動力空間６３の頂側壁を貫通して前記圧縮空間２８の中に入り、且つ前記動力空間６３の頂側壁と前記圧縮空間２８の上下側壁とが回転できるように連結され、前記第一伝動軸３２のうち前記動力空間６３の中に位置するところには第一ベベルギア５９が固定的に設置され、前記第一伝動軸３２のうち前記圧縮空間２８の中に位置するところには移動ブロック３１がネジ山により連結され、前記移動ブロック３１の左側面には圧縮板２９が固定的に設置され、前記回転空間４１の中には円盤４２がスライドできるように連結され、前記円盤４２の中には四つの矩形穴３０が設置され、前記円盤４２の底側面には回転軸４３が回転できるように連結され、前記回転軸４３が下方に延びて前記回転空間４１の底側壁を貫通して前記伝動空間３７の中に入り、且つ前記回転空間４１の底側壁と前記伝動空間３７の頂側壁とが回転できるように連結され、前記回転軸４３のうち前記伝動空間３７の中に位置するところには歯車４４が固定的に設置され、前記シンク２６の中にはゴミと液体とを分離させる分離装置１００が設置され、前記伝動空間３７の中には前記回転空間４１を回転連動させる回転装置１０２が設置され、前記収集空間３５と左右両側の前記動き空間３６との間にはゴミを収集する収集装置１０１が設置されている。
【００１７】
前記分離装置１００は前記シンク２６の中にスライドできるように取り付けられたゴミカゴ２４を含み、前記ゴミカゴ２４の頂側面には移動ハンドル２５が固定的に設置され、前記ゴミカゴ２４の中にはゴミ分離空間２７が設置され、前記ゴミ分離空間２７の底側面にはメッシュフィルター２３が設置され、前記メッシュフィルター２３の前後左右側面が前記ボディ２０と固定的に連結され、水分が前記メッシュフィルター２３により前記貯水空間２２に流れ込むことができ、前記貯水空間２２の底側壁には下水道を連通した下水道口２１が設置され、前記ゴミ分離空間２７の中のゴミの水分が流れ終わった後、前記移動ハンドル２５により前記ゴミカゴ２４全体を押して右側に移動させ、ゴミを前記ゴミ分離空間２７から全部前記圧縮空間２８の中に入れて前記回転空間４１に堆積させる。
【００１８】
前記回転装置１０２は前記伝動空間３７の上下側壁に回転できるように取り付けられた第二伝動軸３９を含み、前記第二伝動軸３９の中側には第二ベベルギア３８が固定的に設置され、前記第二伝動軸３９の上側には前記歯車４４と噛み合ったラチェットギア４０が固定的に設置され、前記伝動空間３７の右側壁には第三伝動軸４５が回転できるように連結され、前記第三伝動軸４５が右方に延びて前記伝動空間３７の右側壁を貫通して前記収集空間３５の中に入り、且つ前記収集空間３５の左右側壁と回転できるように連結され、前記第三伝動軸４５が右方に延びて前記収集空間３５の右側壁を貫通して前記動力空間６３の中に入り、且つ前記動力空間６３の左側壁と回転できるように連結され、前記第三伝動軸４５において前記伝動空間３７の中には前記第二ベベルギア３８と噛み合った第四ベベルギア４６が固定的に設置され、前記第三伝動軸４５において前記動力空間６３の中には前記第一ベベルギア５９と噛み合った第五ベベルギア６１が固定的に設置され、前記第一ベベルギア５９が前記第五ベベルギア６１と、前記第三伝動軸４５と、前記第四ベベルギア４６と、前記第二ベベルギア３８と、前記第二伝動軸３９と、前記ラチェットギア４０と、前記歯車４４と、前記回転軸４３と、前記回転空間４１とを回転連動させことで、前記回転空間４１にある前記圧縮装置９９に圧縮されたゴミが前記圧縮空間２８の後側壁を経由して前記ラチェットギア４０を押して前記収集空間３５の中に落ち、それにより前記回転空間４１は前記圧縮装置９９の中においてゴミを受ける平面としての機能を発揮できた上、前記回転装置１０２の作用のもとでゴミを収集空間３５の中に押すことができる。
【００１９】
前記収集装置１０１は各側の前記動き空間３６の頂側壁に左右対称に設置された第一収容空間４８を含み、各側の第一収容空間４８の中には第一阻み板４９がスライドできるように連結され、各前記第一阻み板４９と前記第一収容空間４８との間には第一バネ４７が連結され、各前記第一阻み板４９の底側面には長棒３３が当接され、各長棒３３の片側が各側の前記動き空間３６の後側壁とヒンジにより連結され、各側の前記動き空間３６の底側壁には左右対称のリセット空間５１が設置され、各側の前記リセット空間５１の中にはスライドできるように連結されたリセット棒５０が固定的に設置され、各前記リセット棒５０と各側の前記リセット空間５１との間には第二バネ５２が連結され、各前記第一阻み板４９はゴミが前記動き空間３６の中に入ることを阻むことができ、各前記リセット棒５０は前記長棒３３をリセットすることができ、各前記長棒３３の片側にはゴミ袋の両端を掛けるフック３４が固定的に設置され、前記ボディ２０の前側面にはゴミ引出ドア６５が回転できるように連結され、前記ゴミ引出ドア６５にはハンドル６６が固定的に設置され、ゴミが前記圧縮空間２８の中から各前記長棒３３に落ちた後、重力により各長棒を下方に押し、ゴミ袋の両端を前記フック３４とともに両側に移動させ、ゴミをゴミ袋の中に入れ、ゴミの落ちにつれて、各前記リセット棒５０が各前記第二バネ５２に押されて前記長棒３３をリセットすることによりゴミ袋を閉じ、使用者が前記ハンドル６６により前記ゴミ引出ドア６５を開け、直接に各前記フック３４の中のゴミ袋の両端を取り、それにより使用者が自らゴミをゴミ袋の中に入れる必要がなくなり、直接にゴミの捨てを行う。
【００２０】
前記圧縮空間２８の底側壁には第二収容空間５６が設置され、前記第二収容空間５６にはゴミ阻み板５８がスライドできるように連結され、前記ゴミ阻み板５８と前記第二収容空間５６との間には第二バネ５７が連結され、前記ゴミ阻み板５８は前記ゴミ分離空間２７の中のゴミが前記圧縮空間２８の中に入った後に前記第一伝動軸３２と接触することを阻むことができ、同時に前記第二バネ５７も前記移動ブロック３１に押された前記ゴミ阻み板５８にリセットを行うことができ、前記圧縮装置９９のゴミへの圧縮に影響を与えない。
【００２１】
前記ラチェットギア４０の中には六つの反転空間５５が設置され、各側の前記反転空間５５の中には前記歯車４４と当接された引っ掛かりブロック５３がスライドできるように連結され、各前記引っ掛かりブロック５３と前記反転空間５５との間には第三バネ５４が連結され、前記モーター６０が正方向に回転する時に前記回転空間４１を回転しないようにし、前記モーター６０が反方向に回転する時、前記回転空間４１を回転連動させてゴミを前記収集空間３５の中に送り込む。
【００２２】
前記ゴミカゴ２４の左右側壁はいずれも防水材質であり、シンク２６の中で野菜を洗う時に、水が前記圧縮空間２８の中に流れることを防止すると同時に、前記ゴミ分離空間２７の中のゴミが前記第一伝動軸３２と接触することも防止する。
【００２３】
前記貯水空間２２の形は台形であり、前記シンク２６の中の全ての水が前記貯水空間２２の中に流れることができ、且つ前記貯水空間２２の空間が前記下水道口２１より大きく、前記シンク２６の中の水が多すぎる時に水がタイムリーに前記下水道口２１により流れ出すことができなく、暫く前記貯水空間２２の中に保存される。
【００２４】
使用する時、ゴミ分離空間２７の中の生ゴミの水が全部貯水空間２２に流れた後、移動ハンドル２５を押してゴミカゴ２４を連動させ、ゴミを全部圧縮空間２８の中に送り、モーター６０を始動して正方向に回転させることにより、第一伝動軸３２と、移動ブロック３１と、圧縮板２９と、第一ベベルギア５９と、第五ベベルギア６１と、第三伝動軸４５と、第四ベベルギア４６と、第二ベベルギア３８と、第二伝動軸３９と、ラチェットギア４０とを回転連動させて生ゴミを圧縮させられ、それからモーター６０を反方向に回転させることにより、歯車４４と、回転軸４３と、円盤４２とを回転連動させ、ゴミをラチェットギア４０から長棒３３に落ちさせ、圧縮されたゴミが重力により長棒３３とリセット棒５０を下方に移動連動させることにより、フック３４にあるゴミ袋を開け、長棒３３にあるゴミがゴミ袋に入った後、長棒３３がリセット棒５０に押されてリセットを行い、それによりゴミ袋が閉じ、ゴミ引出ドア６５を開けて回転軸４３に掛かっているゴミ袋を取り出し、新しいゴミ袋を取り替える。
【００２５】
本願発明の有益効果は：本願発明の装置はシンクと連通され、シンクの中には生ゴミを収納できる部品が設置されることで、使用者が生ゴミを接触する必要がなくなり、直接に生ゴミを収納できる部品により生ゴミを圧縮装置の中に押し、毎日生み出された生ゴミに圧縮を行い、ゴミの収集とゴミの再利用とに便利である。
同時に本願発明はゴミ自体の重力によりゴミをゴミ袋の中に収納し、使用者が異臭の生ゴミと接触する必要がなくなり、直接にゴミ袋を取り替える過程により異臭の生ゴミを捨て、それにこの過程が全部本願発明の中で行われるもので、家の中の空気に汚染をもたらすことがなく、毎日生ゴミを捨てる必要がなくなると同時に生ゴミの再利用の続きの操作にも便利である。
【００２６】
以上に述べたのはただ本実用新型のより良い実施例で、本実用新型を限定することに使わないである。本実用新型の意義と原則のもとで行う全ての修正、同等の入れ替えと改善などは本実用新型の保護範囲に含まれる。
【図１】
2020203789.tif 000003
【図２】
2020203789.tif 000004
【図３】
2020203789.tif 000005
【図４】
2020203789.tif 000006
【図５】
2020203789.tif 000007
【図６】
2020203789.tif 000008
【図７】
2020203789.tif 000009